(57)【要約】【課題】筐体側に設けられた電気部品とその筐体に対して開閉可能な開閉部材にに設けられた電気部品とを接続する電線（ハーネス）が開閉部材の開閉を妨げとなることを防止する。【解決手段】前扉４の裏面に配置されたランプ中継基板は、ランプハーネス９によって、裏カバー７内に配置されたランプ制御基板８２と電気的に接続されている。ランプハーネス９の途中部には、コイルばね９３が係止されていて、このコイルばね９３により、ランプハーネス９には、このランプハーネス９をランプ制御基板８２側へ引き込む方向の張力が付与されている。【選択図】　　　　図３
2004081580.tif 000002
【特許請求の範囲】
【請求項１】
筐体とこの筐体に対して開閉可能に設けられた開閉部材とを有する遊技機であって、
上記筐体側に設けられた電気部品と上記開閉部材側に設けられた電気部品とを接続する電線と、
この電線を上記筐体側へ引っ張る方向の張力を当該電線に付与する張力付与部材と
を含むことを特徴とする遊技機。
【請求項２】
上記張力付与部材は、上記開閉部材を開成することにより上記筐体側から繰り出された電線を、上記開閉部材の閉成に伴って上記筐体側へ引き込むための張力を当該電線に付与するものであることを特徴とする請求項１記載の遊技機。
【請求項３】
上記開閉部材は、上記筐体の一方側辺から所定間隔だけ離れた位置で当該一方側辺とほぼ平行に延びた軸線を中心に開閉可能に設けられていることを特徴とする請求項１または２記載の遊技機。
【請求項４】
上記筐体と上記開閉部材との間に、上記筐体に対して開閉可能に設けられた中間開閉部材をさらに含むことを特徴とする請求項１ないし３のいずれかに記載の遊技機。
【請求項５】
上記中間開閉部材は、上記電線が挿通された挿通孔を有しており、
この挿通孔は、上記開閉部材の軸線と交差する方向に長く形成されていることを特徴とする請求項４記載の遊技機。
【請求項６】
上記電線は、複数本の配線を束ねて形成された配線束であることを特徴とする請求項１ないし５のいずれかに記載の遊技機。
【請求項７】
上記電線の表面を被覆する被覆部材をさらに含むことを特徴とする請求項１ないし６のいずれかに記載の遊技機。
【発明の詳細な説明】
【０００１】
【発明の属する技術分野】
この発明は、パチンコ機やパチスロ機などの遊技機に関する。
【０００２】
【従来の技術】
たとえば、従来の典型的なパチンコ機は、遊技店内に配列された遊技島に固定配置される外枠と、この外枠に開閉可能に取り付けられた遊技機本体とを備えている。遊技機本体には、遊技盤がその盤面（遊技球が通過する面）を手前に向けて保持されている。また、遊技機本体の前面には、遊技の雰囲気を盛り上げるためのランプ類が配設されており、遊技機保持枠の背面には、各ランプへの配電のためのランプ中継基板や、遊技島内に設けられた球循環路からパチンコ機に遊技球を取り込むための機構を有する機構盤が取り付けられている。
【０００３】
遊技盤の裏面は、パチンコ機の各部の動作を制御する制御基板を取り付けるための取付面とされている。ところが、遊技機本体の背面には、ランプ中継基板や機構盤が取り付けられているため、遊技盤の裏面上における制御基板の取り付けのための空きスペースは小さい。それにもかかわらず、パチンコ機では、基本的な遊技内容を実現するための主制御基板に実装可能なメモリの容量に法規制が加えられているので、遊技に付随するランプ類の点灯や効果音の発生を制御するための制御基板はサブ基板化されており、また最近では、遊技内容の多様化に伴って、そのサブ制御基板の数が増えてきている。
【０００４】
【発明が解決しようとする課題】
そこで、本願発明者は、外枠の裏側（背後側）に制御基板を配置することを考えた。たとえば、外枠を裏側から覆うようにカバーを設け、このカバー内を制御基板を配置するためのスペースとすることで、制御基板の十分な配置スペースを確保することができる。
しかしながら、外枠の裏側に制御基板を配置すると、ランプ類の点灯を制御するためのサブ制御基板（ランプ制御基板）とランプ中継基板とを電気的に接続するためのハーネスを、外枠（外枠に取り付けられたカバー）と遊技機本体との間に跨った状態に設けなければならず、この外枠と遊技機本体と間に跨ったハーネスが、遊技機本体の開閉時に弛んで、その開閉の妨げになるという新たな問題を生じることがわかった。
【０００５】
この発明は、かかる背景の下になされたものであり、その目的は、筐体側に設けられた電気部品とその筐体に対して開閉可能な開閉部材にに設けられた電気部品とを接続する電線（ハーネス）が開閉部材の開閉を妨げるおそれのない遊技機を提供することである。
【０００６】
【課題を解決するための手段および発明の効果】
上記の目的を達成するための請求項１記載の発明は、筐体（１，２，７）とこの筐体に対して開閉可能に設けられた開閉部材（４）とを有する遊技機であって、上記筐体側に設けられた電気部品（４５）と上記開閉部材側に設けられた電気部品（８２）とを接続する電線と、この電線を上記筐体側へ引っ張る方向の張力を当該電線に付与する張力付与部材（９３）とを含むことを特徴とする遊技機である。
【０００７】
なお、括弧内の英数字は、後述の実施形態における対応構成要素等を表す。以下、この項において同じ。
この発明によれば、電線に張力が付与されているので、開閉部材の開閉時に電線が弛んで開閉部材の開閉の妨げとなるおそれがない。
上記張力付与部材は、請求項２に記載のように、上記開閉部材を開成することにより上記筐体側から繰り出された電線を、上記開閉部材の閉成に伴って上記筐体側へ引き込むための張力を当該電線に付与するものであることが好ましい。これにより、開閉部材を閉じる際に、電線が筐体と開閉部材との間に挟み込まれることを良好に防止することができる。
【０００８】
とくに、請求項３記載のように、上記開閉部材が、上記筐体の一方側辺から所定間隔だけ離れた位置で当該一方側辺とほぼ平行に延びた軸線を中心に開閉可能に設けられている場合、開閉部材と筐体の一方側辺との間に電線が挟み込まれるおそれが大きいので、請求項１または２に記載の構成が顕著な効果を発揮する。上記筐体と上記開閉部材との間には、請求項４に記載のように、上記筐体に対して開閉可能に設けられた中間開閉部材（３，６）がさらに備えられていてもよい。電線に張力が付与されていれば、中間開閉部材が備えられていても、その中間開閉部材と開閉部材との間や中間開閉部材と筐体との間に電線が挟み込まれるおそれがない。
【０００９】
また、請求項５に記載のように、上記中間開閉部材が、上記電線の挿通された挿通孔（３３）を有している場合、その挿通孔は、上記開閉部材の軸線と交差する方向に長く形成されていることが好ましい。これにより、開閉部材を開閉した時に電線が挿通孔の縁部を支点として折れ曲がることを防止でき、電線に開閉部材の開閉の妨げとなるような癖がつくのを防止できる。
上記電線は、請求項６に記載のように、複数本の配線を束ねて形成された配線束であってもよい。
【００１０】
請求項７記載の発明は、上記電線の表面を被覆する被覆部材（９５）をさらに含むことを特徴とする請求項１ないし６のいずれかに記載の遊技機である。
この発明によれば、電線の表面が被覆されていることにより、電線に開閉部材の開閉の妨げとなるような癖がつくのを防止できる。
【００１１】
【発明の実施の形態】
以下では、この発明の実施の形態を、添付図面を参照して詳細に説明する。
図１は、この発明の一実施形態に係るパチンコ機の外観構成を示す斜視図である。このパチンコ機は、遊技店内に配列された遊技島への取付け（設置）のための取付枠１と、この取付枠１に開閉可能に取り付けられた主枠２と、主枠２の手前側に開閉可能に取り付けられた遊技盤保持枠３と、遊技盤保持枠３の手前側に開閉可能に取り付けられた前扉４とを備えている。主枠２、遊技盤保持枠３および前扉４の支軸は、それぞれ、取付枠１の左側辺の手前側でほぼ鉛直に延びた共通な軸線上に配置されている。
【００１２】
主枠２の下部前面、遊技盤保持枠３の下部前面およびその上方の前扉４の前面が、このパチンコ機の正面を構成している。主枠２の下部前面の左右両側には、音声を出力するためのスピーカＳが配置されている。
遊技盤保持枠３の下部前面は、手前に張り出すように湾曲しており、その内側には、遊技に使用する遊技球（パチンコ球）を貯留しておくための球受容器３１が形成されている。また、遊技盤保持枠３の下部前面には、球受容器３１の右下方に、遊技に際して遊技者によって操作されるハンドル３２が配設されている。
【００１３】
前扉４には、ほぼ円形の窓４１が中央に形成されている。窓４１には、ガラス板などの透明板４２が嵌められており、この透明板４２を介して、窓４１の奥側を目視できるようになっている。また、前扉４の前面には、遊技の雰囲気を盛り上げるための装飾ランプ４３、このパチンコ機に生じた種々のエラー状態（たとえば、球受容器３１が満杯になった状態など）を報知するためのエラーランプ４４などのランプ類が配置されている。たとえば、装飾ランプ４３は、窓４１の上方および左右両側に配置されており、エラーランプ４４は、前扉４の前面の上端部の左右両側に配置されている。
【００１４】
図２は、このパチンコ機の前扉４を開いた状態を示す斜視図である。また、図３は、遊技盤保持枠３を開いた状態を示す斜視図である。このパチンコ機はさらに、遊技盤保持枠３に保持された遊技盤５と、主枠２の内側に開閉可能に取り付けられた機構盤６と、主枠２を裏側から覆うように取り付けられた裏カバー７とを備えている。
遊技盤５は、ハンドル３２の操作に応じて球発射装置（図示せず）から発射された遊技球が飛入する盤面を有しており、この盤面を手前に向けて、遊技盤保持枠３に嵌め込まれて保持されている。前扉４を閉じた状態で、前扉４の窓４１が遊技盤５の盤面に対向し、その窓４１に嵌められた透明板４２を介して、遊技盤５の盤面上を遊技球が通過（落下）する様子を遊技者が目視できるようになっている。球発射装置は、たとえば、遊技盤保持枠３の下部に取り付けられている。
【００１５】
機構盤６は、遊技球を球受容器３１に供給するための機構を有するものである。たとえば、機構盤６の裏面の最上部には、このパチンコ機が設置される遊技島内の球循環機構（図示せず）から供給された遊技球を貯めておくための球タンクが配置されている。この球タンクの底面には、球通路６１が接続されており、球タンク内の遊技球は、球通路６１を通って球受容器３１に供給されるようになっている。
【００１６】
裏カバー７は、主枠２に対向する前面が開放された箱状に形成されている。裏カバー７の機構盤６に対向する面７１には、このパチンコ機の基本的な遊技内容を実現するための主制御基板を収容した主基板ボックス８１、前扉４の前面に配置されたランプ類４３，４４の発光を制御するためのランプ制御基板８２、効果音の出力を制御するための音声制御基板、遊技盤５に設けられた表示器（たとえば、ドラム式表示器、液晶表示器など）を制御するための表示制御基板、球受容器３１への遊技球の払出しを制御するための払出制御基板などが配置されている。すなわち、裏カバー７は、その内部に種々の制御基板を収容するための収容空間を提供している。なお、音声制御基板、表示制御基板および払出制御基板については、図示が省略されている。
【００１７】
また、前扉４の裏面の最上部には、前扉４の前面のランプ類４３，４４への配電のためのランプ中継基板４５が配置されている。このランプ中継基板４５は、ランプハーネス９によってランプ制御基板８２と電気的に接続されており、ランプ中継基板４５には、ランプ制御基板８２からランプハーネス９を介して、ランプ類４３，４４の点灯に必要な電力やその点灯を制御するための制御信号が与えられるようになっている。
【００１８】
ランプハーネス９は、電力供給のための電力線や制御信号の伝送のための制御線などの複数本の配線を束ねたものであり、その両端には、それぞれコネクタ９１，９２が設けられている。一端のコネクタ９１は、ランプ制御基板８２に接続されている。そして、他端のコネクタ９２は、機構盤６の裏側を通して、機構盤６の上面の左側端部を一段低くすることにより形成された段差部６２から手前側に引き出され、さらに、遊技盤保持枠３の左上端部に形成された挿通孔３３を通して、遊技盤保持枠３の手前側に引き出されて、ランプ中継基板４５に接続されている。
【００１９】
このように接続されたランプハーネス９は、前扉４を開いた状態でランプ中継基板４５とランプ制御基板８２との接続を確保するために、その全長が約７０ｃｍ程度と比較的長く形成されている。ランプハーネス９の全長が長いと、遊技盤保持枠３を前扉４とともに閉じる際に、ランプハーネス９が弛んで遊技盤保持枠３と機構盤６との間に挟み込まれたり、遊技盤保持枠３が閉じられた状態で前扉４を閉じる際に、ランプハーネス９が弛んで遊技盤保持枠３と前扉４との間に挟み込まれたりして、遊技盤保持枠３および前扉４の閉成の妨げになるおそれがある。
【００２０】
そこで、ランプハーネス９（配線束）には、このランプハーネス９をランプ制御基板８２側へ引き込む方向の張力が付与されている。すなわち、ランプハーネス９の途中部（たとえば、コネクタ９１から１０ｃｍ程度の位置）には、ランプハーネス９に張力を付与するための張力付与部材としてのコイルばね９３の一端が係止されている。コイルばね９３の他端は、ランプ制御基板８２の下方に配置された係止部９４に係止されている。係止部９４の位置は、遊技盤保持枠３および前扉４を閉じた状態で、コイルばね９３のばね長が自然長にほぼ等しいか、または自然長よりも少し長くなるような位置であり、この実施形態では、ランプ制御基板８２の下方に配置された主基板ボックス８１の前面に設けられている。また、コイルばね９３には、前扉４が全開された状態で、前扉４が閉じない程度の張力をランプハーネス９に付与できるようなばね定数を有するものが採用されている。
【００２１】
これにより、遊技盤保持枠３および前扉４を閉じる際には、コイルばね９３のばね力でランプハーネス９が機構盤６の裏側へ引き込まれるので、ランプハーネス９が遊技盤保持枠３と機構盤６との間に挟み込まれたり、遊技盤保持枠３と前扉４との間に挟み込まれたりするのを防ぐことができる。
また、ランプハーネス９に張力が付与されていることにより、ランプハーネス９のほぼ一定の部位が機構盤６に形成された段差部６２に接触するので、ランプハーネス９に所望しない癖がつくおそれがなく、この不所望な癖によってランプハーネス９が機構盤６の裏側へ引き込まれないといった不具合を生じるおそれがない。
【００２２】
さらに、遊技盤保持枠３の挿通孔３３は、左右に長い楕円形状に形成されていて、前扉４を全開した場合でも、ランプハーネス９が挿通孔３３の縁部を支点として折れ曲がらないようになっている。さらにまた、ランプハーネス９には、樹脂材料を用いてスパイラル状に形成されたスパイラルチューブ９５が巻装されている。これらによって、ランプハーネス９に所望しない癖がつくことが一層防止されており、ランプハーネス９が機構盤６の裏側へスムーズに引き込まれるようになっている。
【００２３】
なお、ランプハーネス９（配線束）を被覆する被覆部材は、スパイラルチューブ９５に限らず、樹脂製のチューブの周面に多数のスリットが形成されたスリットチューブであってもよい。
以上、この発明の一実施形態について説明したが、この発明は他の形態で実施することも可能である。たとえば、上記の実施形態では、ランプハーネス９に張力を付与するための張力付与部材は、コイルばね９３に限らず、前扉４の開成を妨げず、かつ、遊技盤保持枠３および前扉４を閉じる際にランプハーネス９を機構盤６の裏側へ引き込むことができるような張力をランプハーネス９に付与するものであれば、ゴムなどのコイルばね以外の弾性体であってもよいし、適当な質量のおもりであってもよい。
【００２４】
さらにまた、上記の実施形態では、ランプ中継基板４５とランプ制御基板８２とを電気的に接続するランプハーネス９が遊技盤保持枠３および前扉４の開閉の妨げになることを防止するための構成を例にとったが、この発明は、遊技盤保持枠３に取り付けられた球発射装置と裏カバー７内に配置された制御基板（たとえば、主制御基板）との電気的接続を達成するハーネスが遊技盤保持枠３の開閉の妨げになることを防止するために適用されてもよい。
【００２５】
また、図１に示すように、遊技盤保持枠３の前面に、遊技球の貸出しに関する情報を報知するためのランプ３４などが配置されている場合には、このランプ３４などへの配電のために遊技盤保持枠３の裏面に配置された配電基板と裏カバー７内に配置された貸出制御基板との電気接続を達成するハーネスが遊技盤保持枠３の開閉の妨げになることを防止するために、この発明が適用されてもよい。
さらには、スピーカＳが遊技盤保持枠３または前扉４の前面に配置されているような場合には、スピーカＳと裏カバー７内に配置された音声制御基板との電気接続を達成するスピーカコードが遊技盤保持枠３または前扉４の開閉の妨げになることを防止するために、この発明が適用されてもよい。
【００２６】
また、上記の実施形態では、遊技機の一例としてパチンコ機を取り上げたが、この発明は、パチスロ機などの他の種類の遊技機に適用することもできる。つまり、筐体とこの筐体に対して開閉可能に設けられた開閉部材とを有していて、筐体側に設けられた電気部品と開閉部材側に設けられた電気部品とが電線で接続された遊技機全般に本発明を適用することが可能である。
その他、特許請求の範囲に記載された事項の範囲で種々の設計変更を施すことが可能である。
【図面の簡単な説明】
【図１】この発明の一実施形態に係るパチンコ機の外観構成を示す斜視図である。
【図２】上記パチンコ機の前扉を開いた状態を示す斜視図である。
【図３】上記パチンコ機の遊技盤保持枠を開いた状態を示す斜視図である。
【符号の説明】
１　　　取付枠
２　　　主枠
３　　　遊技盤保持枠
４　　　前扉
５　　　遊技盤
６　　　機構盤
７　　　裏カバー
９　　　ランプハーネス
３３　　挿通孔
４５　　ランプ中継基板
８２　　ランプ制御基板
９３　　コイルばね
９５　　スパイラルチューブ
Ｓ　　　スピーカ
【図１】
2004081580.tif 000003
【図２】
2004081580.tif 000004
【図３】
2004081580.tif 000005